(57)【特許請求の範囲】
【請求項１】
穂先部に装着させる装着部を有して釣糸を掛止させる釣糸掛止具であって、少なくとも大部分が線条部からなる輪を描き、少なくとも巻回数が１を越えた輪であり、１を越えた重複部が巻回数１の基本輪部に対して平面視的に重なった重複領域を有しており、釣糸のチチワを通す場合の、重複領域の少なくとも入口部において隙間を有しており、該入口部の隙間に比較して出口部の隙間が狭いか閉じていることを特徴とする釣糸掛止具。
【請求項２】
前記輪を真上から見た状態において、前記重複部の端部内周が、前記基本輪部の内周よりも外側に位置している請求項１記載の釣糸掛止具。
【請求項３】
前記輪を側方から見た状態において、前記入口部付近の基本輪部の前記重複部に対面する側が先方程、穂先部の中心軸線に一致する装着部の軸線方向に対し重複部に向かって傾斜している請求項１又は２記載の釣糸掛止具。
【請求項４】
前記入口部付近の、基本輪部に至る線条部の基部に保持可能であると共に退避可能な糸抜け防止部材を設けてなる請求項１から３までの何れか１記載の釣糸掛止具。
【請求項５】
前記請求項１から４までの何れか１記載の釣糸掛止具を、前記装着部を介して穂先部に装着させた釣竿。
【発明の詳細な説明】
【０００１】
【発明の属する技術分野】
本発明は、釣糸を結着させたりチチワを係止させたりする釣糸掛止具とこれを有する釣竿に関する。
【０００２】
【従来の技術】
リールを使用しないで、竿先に釣糸を掛止させるタイプの釣竿としては、所謂、リリヤンに結着させるタイプや、ハードな釣糸掛止部に掛止させるタイプがよく知られている。後者の例として、本出願人による特開平７−２７４７７９号公報がある。
【０００３】
【発明が解決しようとする課題】
こうしたハードな釣糸掛止部に釣糸のチチワを係止させた場合、上記公報に開示のように筒状保持体で覆えば別であるが、そうでなければ、複雑な釣り動作の最中にチチワが外れることがある。本発明はこれを可及的に防止したい。また、チチワを係止させる係止作業は、穂先の撓み易い部位を相手に行うため、この作業を可及的容易にしたい。
依って本発明は、釣糸の掛止作業を容易にすると共に、不用意に外れることの防止を目的とする。
【０００４】
【課題を解決するための手段】
上記目的に鑑みて請求項１では、穂先部に装着させる装着部を有して釣糸を掛止させる釣糸掛止具であって、少なくとも大部分が線条部からなる輪を描き、少なくとも巻回数が１を越えた輪であり、１を越えた重複部が巻回数１の基本輪部に対して平面視的に重なった重複領域を有しており、釣糸のチチワを通す場合の、重複領域の少なくとも入口部において隙間を有しており、該入口部の隙間に比較して出口部の隙間が狭いか閉じていることを特徴とする釣糸掛止具を提供する。
【０００５】
入口部において隙間を有しているため、重複領域の入口からチチワを挿通させ易い。また、重複領域を有するため、一旦輪の中に入ったチチワは、不用意には外れ難い。また、入口部の隙間に比較して出口部の隙間が狭いか閉じているため、入口部からチチワを通し易く、しかも、一旦入ると出口部から不用意に外れ難い。
【０００６】
請求項２では、前記輪を真上から見た状態において、前記重複部の端部内周が、前記基本輪部の内周よりも外側に位置している請求項１記載の釣糸掛止具を提供する。
一旦、輪の中に入ったチチワは、基本輪部の中に位置しているが、これが外れるためには、重複部の端部と基本輪部との間にチチワの糸が侵入する必要がある。然しながら、重複部の端部内周が基本輪部の内周よりも外側に位置しているため侵入し難く、従って、不用意に外れ難い。
【０００７】
請求項３では、前記輪を側方から見た状態において、前記入口部付近の基本輪部の前記重複部に対面する側が先方程、穂先部の中心軸線に一致する装着部の軸線方向に対し重複部に向かって傾斜している請求項１又は２記載の釣糸掛止具を提供する。
入口部付近の基本輪部の前記重複部に対面する側が先方程、穂先部の中心軸線に一致する装着部の軸線方向に対し重複部に向かって傾斜しているため、チチワを重複領域の入口部付近に位置させた状態で、釣糸を穂先部の（釣竿の）延伸方向に引くだけで、入口部付近の基本輪部に案内されつつ輪の中に入る。従って、掛止作業が非常に容易になる。
【０００８】
請求項４では、前記入口部付近の、基本輪部に至る線条部の基部に保持可能であると共に退避可能な糸抜け防止部材を設けてなる請求項１から３までの何れか１記載の釣糸掛止具を提供する。
チチワを通す場合は、糸抜け防止部材を退避させて作業し、通して掛止させた後、糸抜け防止部材を入口部付近に移動させて保持させれば、更に効果的にチチワが不用意には外れ難くなる。
【０００９】
請求項５では、前記請求項１から４までの何れか１記載の釣糸掛止具を、前記装着部を介して穂先部に装着させた釣竿を提供する。
各作用効果は既述の各請求項に述べているものと同様である。
【００１０】
【発明の実施の形態】
以下、本発明を添付図面に示す実施形態例に基づき、更に詳細に説明する。
図１は本発明に係る釣竿先部の要部縦断面による平面図であり、図２は矢視線Ｂで見た側面図であり、図３は矢視線Ｃで見た（先端方向から見た）端面図（正面図）である。繊維強化樹脂製の竿杆１０の先端部に、釣糸掛止具が装着されている。筒状の装着部１２Ａを有した接続部１２は、装着部の中心軸線を竿杆穂先部の中心軸線ＣＬに一致させた状態で接着固定されている。以下全ての形態例にいえるが、固定ではなく、着脱可能に構成してもよい。装着部１２Ａの先部には後述の回転部（回転部が存在しない場合は後述の輪を形成した部位を含むその他の部）を保持する軸状保持部１２Ｂを形成しており、適宜位置の外周には円周に亘って溝１２ＢＫを形成している。
【００１１】
一方、筒状の回転部１４には、前記溝１２ＢＫに対応させた環状の小径部１４Ｋを設けており、該溝に係合させ、回転自在に構成している。現実に組み付ける際は、軸部に回転部となる筒状体を被せた後、該筒状体に小径部を形成し、これにより前記溝に係合させる。また、この環状小径部１４Ｋに替わって、円周の複数箇所に凹部を形成して前記溝に係合させ、回転部１４を回転自在に支承してもよい。この回転部１４の頭部１４Ｈには、線条部からなる基部１６Ａが一体形成されており、この基部の先方の線条部は図示の如く幾分前後方向に長い概ね楕円形の輪を形成している。輪の形状は任意であり、円形や多角形でもよい。
【００１２】
また、輪が円形の場合はその円の直径は、また、円形でない場合、輪に内接する円の直径は０．５〜１．５ｍｍ程度が好ましい。これは、０．５ｍｍより小さければ釣糸の掛止作業が困難になり、１．５ｍｍよりも大きければ、チチワが大きく移動し易く、魚信に対する上げのタイミング遅れが生じ易く、また、糸が擦れて摩耗し易いからである。この輪は、巻回数が１の基本輪部１６Ｂと、その基本輪部に重なって重複領域を形成している重複部１６Ｃ（ハッチングで示している）とから構成されている。この例の重複部は最大の角度範囲で言って９０度程度（内周側の最小角度範囲で言えば４０度程度）であるが、この角度範囲に制限はなく、例えば、２７０度程度でもよい。
【００１３】
上記の釣糸掛止具の使用方法は、釣糸２２の端部のチチワ２０を図１や図２に示す如く、基部１６Ａの重複部側の面１６ＡＳに乗せ、これをガイドとしながら、基本輪部と重複部との間を通して輪の中に入れ、チチワを係止させるのである。勿論、チチワを利用するのではなく、釣糸２２を基本輪部１６Ｂに通して結着し、これにより釣糸を掛止させることは自由である。
【００１４】
この例では基本輪部と重複部との間には隙間を設けており、本明細書では、チチワを通す時間順序の初めの方を入口部１８Ａと称し、終わりの方を出口部１８Ｂと呼ぶ。隙間が０でも同様に称する。基本輪部の重複部に対面する側の面１６ＢＳと、重複部の基本輪部に対面する側の面１６ＣＳとの成す隙間は、入口部において大きく、概ね出口部に向かって狭くなり、最小隙間部位（この例では出口部と言える）を過ぎてチチワ２０が輪の中に入り、これでチチワは係止（掛止）される。
【００１５】
上記例のように、入口部から出口部に至るまでに亘って完全に隙間を有している必要はなく、出口部の基本輪部と重複部とが接触して閉じていても良く、その他の部位が閉じている形態でもよい。但し、入口部は開放されている必要がある。入口部に隙間があれば、チチワ（又は釣糸）を釣竿の前方に（図１の上方に）軽く引くとチチワを受け入れ易く、その後は重複領域を通過すればよく、掛止作業が容易になるからである。また、チチワ（釣糸）を傷付けることを防止するためには、入口部から出口部に至るまでに亘って完全に隙間を有していることが望ましい。隙間の値は０．０１ｍｍ程度以上が好ましい。更に好ましくは、０．０４〜０．４ｍｍ、更に好ましくは、０．０８〜０．３ｍｍである。
【００１６】
竿杆穂先部の中心軸線ＣＬに対して、前記入口部付近の基本輪部１６Ｂの重複部に対面する側の面１６ＢＳが、重複部側を上と表現すれば、漸次上方向に向かうよう傾斜している（図２に示す）。このため、チチワ２０を基部の上側面１６ＡＳに乗せて穂先の延伸方向に軽く引くだけで、入口部に入ったチチワが前記基本輪部の面１６ＢＳにガイドされ、輪の中に侵入しようとする。即ち、掛止作業が容易になる。
【００１７】
更にこの例では、基部１６Ａが、回転部１４の頭部１４Ｈの中央部に一体化しているが、下側（図２の右側）に向かって傾斜指向しているため、重複部１６Ｃを中心軸線ＣＬ寄りに配置できる。従って、釣りの最中に、この重複部に釣糸が当ることが防止でき、また、チチワ部以外のミチ糸部としての釣糸２２が、入口部１８Ａに引っ掛ることが防止できる。重複部に釣糸が当れば、その釣糸部位とチチワとの間の釣糸２２が弛んで張力が作用しなくなるため、それだけチチワが不用意に外れる（出口部から入口部に向かう動きをする）可能性が高くなるが、これが防止される。また、図３に現われているように、基本輪部も重複部も、回転部１４の外径内に収まっている（回転部の先端部である頭部１４Ｈの外径内に収まっている）ため、この輪の部位に釣り操作中の釣糸２２が当ったり引っ掛ることが防止できる。また、上記と同じ理由でチチワが不用意に外れる可能性が低減される。
【００１８】
線条部としては、金属、セラミックス、硬質樹脂、繊維強化樹脂、繊維強化金属等の硬質の材料が使用できる。硬質の材料とは、通常の釣りにおいて輪の形状が変形し難い材料をいう。
【００１９】
上記形態例は筒状部が回転する構造であるが、図１４の例のように軸部が回転する構造でもよい。即ち、竿杆穂先部１０には筒状の装着部１２Ａが接着等によって装着され、その装着部の先部には筒状の保持部１２Ｂ’が設けられている。一方、輪を形成する線条部の基部１６Ａの下部が小径の軸部を形成し、更にその下部に大径の軸部からなる回転部１４’を設けている。前記装着部と保持部を有する接続部１２’の内部には、前記大径軸部の底面を受けるスペーサ３２が固定されている。このスペーサの上面は半球状に形成されており、軸部からなる回転部１４’の回転を低摩擦力で支承できる。従って、このスペーサは耐摩耗性のある材料で形成すると良い。
【００２０】
図４は第２形態例を示し、図５は矢視線Ｅによる側面図、図６は矢視線Ｆによる端面図である。第１の形態例と異なる事項について説明する。図６に示すように、輪の内、重複部１６Ｃが回転部１４の外径内に収まっていないが、接続部１２の筒状装着部１２Ａの外径範囲内にあるため、やはり第１形態例の場合と同様に、輪に対して釣糸が当り難い。
【００２１】
輪を成す線条部の基部１６Ａが、回転部１４の頭部中央位置から穂先部の延伸方向に伸びており、基本輪部１６Ｂの輪の前半部は図５において直線状である。その後半部は傾斜して重複部１６Ｃに至る。この意味での直線状に基本輪部を形成することは、製造を容易にさせる。従って、形状や寸法が安定する。また、ここでは、重複部１６Ｃと基本輪部１６Ｂとの間の隙間は概ね一定隙間に設定している。
【００２２】
図７は第３の形態例を示し、筒状の糸抜け防止部材２４が退避位置に位置している図である。この状態で釣糸を掛止させる。図８は、その糸抜け防止部材を前進させて輪を覆い、その先端が更に輪の前方に位置した釣り状態を示す。この糸抜け防止部材は、回転部１４に保持され、回転部と共に回転できるが、接続部１２に保持させてもよい。釣りの最中には、糸抜け防止部材の存在により釣糸の外れることが防止できる他、この形態例のように輪の前方にまで延伸していれば、釣糸が釣竿の延伸方向に指向され、穂先に絡み難くなる。
【００２３】
この筒状の糸抜け防止部材を、所謂、リリヤンを形成している部材と同様な部材や、これと同程度の柔らかさを有するゴム部材等で形成すれば、同様に糸抜けが防止でき、また、釣糸の動きにも追随し易く、釣糸が金属等のハードな部材による糸抜け防止部材２４の先端縁部に擦れて摩損し易いということが防止できる。更には、釣糸の動きにも追随し易いが、適度な剛性（腰）を有しているため、釣糸が穂先から垂れる状態となっても、釣竿先端部において、糸抜け防止部材が滑らかな曲線を描き、その結果、釣糸を穂先部から側方に離隔させて、穂先部への糸絡みを防止できる。
【００２４】
図９は第４の形態例を示す。一般に、釣りを行っている場合に、仕掛けや掛かった魚の引きにより、チチワは輪の前側領域に位置し、魚等の動きによって該前側領域を移動する。従って、釣糸（チチワ）の摩耗や糸切れが生じ易い。また、魚を吊り上げたり、仕掛けを水中から出した場合のように、釣竿の先部を高くした場合、チチワは輪の後側領域に位置し、釣竿の動きや仕掛け等の動きによって該後側領域を移動する。従って、釣糸（チチワ）の摩耗や糸切れが生じ易い。しかし、この形態例では、基本輪部１６Ｂから重複部１６Ｃに移行する部位の内周位置Ｒ１における曲率が、その後の重複部内周Ｒ２の平均的曲率や基本輪部の平均的曲率に比べて大きい。従って、魚を吊り上げたり、仕掛けを水中から出した場合のように、釣竿の先部を高くした場合、チチワは輪の後側領域の内周位置Ｒ１に係止し、釣竿の動きや仕掛け等の動きによっても後側領域を移動し難く、釣糸（チチワ）の摩耗や糸切れが生じ難くなる。
【００２５】
図１０は第５形態例の平面図であり、図１１はその側面図である。この例では、基部１６Ａと、基本輪部１６Ｂの初めの部位（基部に近い部位）とが線条部ではなく板状であるが、その他の輪部は線条である。従って、輪の大部分が線条部によって形成されており、本発明の請求項１に属する。この例では、重複部の内周ライン全体が、基本輪部の内周ラインよりも外側に位置しており、このため、釣糸のチチワが不用意に抜け難い。
【００２６】
図１の第１形態例のように、重複部の短い端部の内周が、基本輪部の内周ラインよりも外側に位置していても、チチワが不用意に抜け難いが、重複部の内周ラインの先端側半分程度以上が基本輪部の内周ラインよりも外側に位置していると好ましい。図１０の形態例もその１つの例である。また、図１と同様に輪が線条部で形成されている場合、図１５に示すように平面図において、重複部１６Ｃの先部が下側に位置する基本輪部１６Ｂよりも細い部位を有し、該細径部が該基本輪部の線条部の直径程度以上の長さＬに亘って、基本輪部の内周ラインと外周ラインとの間に位置していることも好ましい。また、図１６に示すように平面図において、基本輪部１６Ｂの内周側に位置する重複部１６Ｃ先部の内周ラインの各位置において垂直線を引き、重複部の外周ラインとの交点までの長さの１／２の点を結んだ中心ラインＣＣが、基本輪部の中心ラインＢＣよりも外側に位置していることも好ましい。
【００２７】
この例の場合でも、チチワを通すためには、まず、基部の上に乗せ、前方に引いて基本輪部と重複部との間を通すが、隙間（０を含む）がチチワの糸径よりも小さければ、重複部を変形させながら通すことになる。従って、この場合は、重複部は小径にして（僅かに）変形できるように構成するとよい。逆に、基本輪部は、釣りの際に釣糸に作用する張力の作用で変形し易くては不安定で困るため、大径にしたり、変形し難い材料で形成するとよい。
【００２８】
図１２は第６形態例を示す。この例の特徴は、基部１６Ａに装着された環状の糸抜け防止部材２６の存在である。この糸抜け防止部材２６はゴム等の弾力性部材で形成されており、基部に沿って移動できると共に、保持可能である。この例では、基部には段差部１６ＡＤが形成されており、回転部の頭部側が大径となっている。従って、輪にチチワを通して釣糸の掛止が済み、釣りを行う前に、糸抜け防止部材２６を基部の前側小径部に位置させ（図１２）るが、その弾性によってその位置に保持される他、段差部の存在でも保持される。
【００２９】
従って、釣りの最中にチチワが移動しても、不用意に抜け出ることがより確実に防止できる。釣糸掛止作業中は、後側大径部に退避させておけばよく、また、この糸抜け防止部材２６は弾力性部材で形成しているため、退避位置でも保持でき、その分、釣糸の掛止作業の邪魔になり難い。基部は上記段差部を形成することなく、前細テーパ形状に形成しておいてもよいが、段差部の存在で、釣りの際に糸抜け防止部材２６が不用意に後退することをより効果的に防止できる。
【００３０】
図７，８に示す糸抜け防止部材２４も、上記図１２の糸抜け防止部材２６と同様に糸抜け防止作用を果たすが、図１３は、糸抜け防止手段の更に他の形態例を示す側面図である。基部１６Ａに続いて基本輪部１６Ｂが、回転部１４の外周部位に対応する周辺位置から前方に延伸しており、後半は傾斜してやがて重複部１６Ｃを形成している。この重複部は、概ね回転部の中心位置（穂先部の中心軸心位置）に位置している。また、基部の、基本輪部と接続している部位とは径方向反対側部位には、凸部２８が前方に突出して、前記重複部１６Ｃの上方に離隔して（隙間を有して）覆い被さっている。
【００３１】
釣糸（チチワ）を掛止させる場合には、チチワを重複部１６Ｃと凸部２８との間に押し入れ、次に移動の方向を９０度程度変化させて、基部１６Ａと重複部１６Ｃとの間の隙間３０に移動させ、基本輪部１６Ｂと重複部１６Ｃとの成す隙間１８の入口部に位置させ、それから、釣糸を前方に引く。これによってチチワが輪に掛止される。こうして掛止されたチチワが外れるためには、２度の９０度程度の方向変化を要するため、不用意な抜けが防止される。前記隙間１８が釣糸の径よりも小さければ更に効果的に抜けが防止される。
【００３２】
各形態例における特徴構造は、特に矛盾を生じない限り、その形態例に限らず他の形態例に適用してもよい。
【００３３】
【発明の効果】
以上の説明から明らかなように、本発明によれば、釣糸の掛止作業を容易にすると共に、不用意に外れることが防止できる。
【図面の簡単な説明】
【図１】  図１は本発明に係る第１形態例の釣竿先部の要部縦断面による平面図である。
【図２】  図２は図１の矢視線Ｂで見た側面図である。
【図３】  図３は図１の矢視線Ｃで見た端面図である。
【図４】  図４は本発明に係る第２形態例の要部断面による平面図である。
【図５】  図５は図４の矢視線Ｅで見た側面図である。
【図６】  図６は図４の矢視線Ｆで見た端面図である。
【図７】  図７は本発明に係る第３形態例の要部断面による平面図である。
【図８】  図８は図７と異なる状態の平面図である。
【図９】  図９は本発明に係る第４形態例の要部断面による平面図である。
【図１０】  図１０は本発明に係る第５形態例の要部断面による平面図である。
【図１１】  図１１は図１０の側面図である。
【図１２】  図１２は本発明に係る第６形態例の要部断面による平面図である。
【図１３】  図１３は本発明に係る第７形態例の要部断面による側面図である。
【図１４】  図１４は本発明に係る第８形態例の要部断面による平面図である。
【図１５】  図１５は請求項３に係る発明の好ましい実施形態を説明する平面図である。
【図１６】  図１６は請求項３に係る発明の他の好ましい実施形態を説明する平面図である。
【符号の説明】
１０                  竿杆穂先部
１２Ａ                装着部
１４                  回転部
１６Ａ                基部
１６Ｂ                基本輪部
１６Ｃ                重複部
１８Ａ                入口部
１８Ｂ                出口部
２０                  チチワ
【図１】
0003775288.tif 000002
【図２】
0003775288.tif 000003
【図３】
0003775288.tif 000004
【図４】
0003775288.tif 000005
【図５】
0003775288.tif 000006
【図６】
0003775288.tif 000007
【図７】
0003775288.tif 000008
【図８】
0003775288.tif 000009
【図９】
0003775288.tif 000010
【図１０】
0003775288.tif 000011
【図１１】
0003775288.tif 000012
【図１２】
0003775288.tif 000013
【図１３】
0003775288.tif 000014
【図１４】
0003775288.tif 000015
【図１５】
0003775288.tif 000016
【図１６】
0003775288.tif 000017